(57)【特許請求の範囲】
【請求項１】
音声信号を出力する出力端子１１及び音声信号が入力される入力端子１２を備えたスマートデバイス１０と連結される音声信号抽出入力装置において、
スマートデバイス１０の出力端子１１及び入力端子１２とイヤレシーバ２１及びマイク２２とを連結する導線上に本体３０が配設され、
スマートデバイス１０の出力端子１１とイヤレシーバ２１とを連結する導線と、スマートデバイス１０の入力端子１２とマイク２２とを連結する導線とが、本体３０内において接続部３１を介して相互連結され、
スマートデバイス１０を介した録音又は録画過程において、スマートデバイス１０によって発生させられた音響が、出力端子１１から、出力端子１１とイヤレシーバ２１とを連結する導線に音声信号として出力され、イヤレシーバ２１に伝達される過程で接続部３１において抽出され、入力端子１２とマイク２２とを連結する導線に抽出音声信号として流入し、流入した抽出音声信号が、入力端子１２に入力され、スマートデバイス１０において入力音響として利用されることを特徴とするスマートデバイス用の音声信号抽出入力装置。
【請求項２】
前記本体３０に、使用者が操作することによって音量を調節するための操作ボタンが配設され、
前記接続部３１に、前記操作ボタンと連結された抽出信号調整部３５が配設され、
該抽出信号調整部３５によって、抽出された音声信号が調整されることを特徴とする請求項１に記載のスマートデバイス用の音声信号抽出入力装置。
【発明の詳細な説明】
【技術分野】
【０００１】
本発明は、スマートフォン、タブレット型コンピュータ等の、音声信号入出力機能を備えたスマートデバイス１０と連結される音声信号処理装置（音声信号抽出入力装置）に関し、スマートデバイス１０とイヤレシーバ２１とを連結する導線から音声信号を抽出し、スマートデバイス１０のマイク２２の入力端子１２に入力することによって、外部で発生した音響だけでなく、スマートデバイス１０において発生させられた音響をスマートデバイス１０に高品質で再入力することができるようにしたものである。
【背景技術】
【０００２】
高性能処理装置、大容量記憶装置、及び高画質タッチスクリーンが搭載されたスマートフォン、タブレット型コンピュータ等のスマートデバイス１０は、単なる通信機器としてではなく、多様な応用プログラムを行う多機能情報機器として活用されている。
【０００３】
スマートデバイス１０は、小型化及び軽量化することによって電力の消耗を抑制し、携帯性を向上させることにより、情報機器の使用時間及び空間上の制約を抑制しており、スマートデバイス１０の小型化及び軽量化は、スマートデバイス１０に内蔵された処理装置及び記憶装置を集積するだけでなく、多くのスマートデバイス１０において採用されているタッチスクリーンの例から分かるように、入力及び出力の機能を併せ持った統合型入出力装置を適用することによって達成されている。
【０００４】
現在、市場に出ているスマートデバイス１０は、処理速度等において通常のデスクトップコンピュータと同等の性能を有しており、これにより、ゲーム、マルチメディア情報処理等の多様な機能を行う応用プログラムが実行されるので、高品質な音声信号の入力及び出力機能も搭載されることが一般的である。
【０００５】
スマートデバイス１０における音声信号の出力及び入力は、スマートデバイス１０に組み込まれたスピーカ及びマイクを介して行われてもよいが、上述したように、スマートデバイス１０を小型化及び軽量化する必要があることから、音声入出力装置が組み込まれなかったり、音声信号の出力が小さくされたりするので、図１に示されるようなイヤホン等の着脱型装置が活用される（例えば、特許文献１参照。）。
【先行技術文献】
【特許文献】
【０００６】
【特許文献１】韓国公開特許第１０−２００５‐１１１２７３号公報
【発明の概要】
【発明が解決しようとする課題】
【０００７】
特許文献１を含めた従来のスマートデバイス１０用の音声入出力装置は、図１に示されるように、イヤレシーバ２１及びマイク２２が連結された導線の末端にイヤホンジャック２３を備え、スマートフォン等のスマートデバイス１０と結合される。
【０００８】
すなわち、スマートデバイス１０においては、スマートデバイス１０から出力される音声信号によってイヤレシーバ２１が駆動され、マイク２２から生成された音声信号がスマートデバイス１０に入力されるようになっている。なお、イヤレシーバ２１とマイク２２とは、外形上、一体化しているが、電気的挙動においては独立した構造を有する。
【０００９】
したがって、図１に示されるような従来のマイク２２付きイヤホンにおいて、イヤレシーバ２１は、スマートデバイス１０から発信された音声信号を単純出力し、マイク２２は、スマートデバイス１０の外部で発生した音響をスマートデバイス１０に単純入力するだけであり、スマートデバイス１０の音声信号と入力信号との間にいかなる形態の相互作用ももたらすことができない。
【００１０】
このような音声信号及び入力信号の個別の処理においては、スマートデバイス１０の活用上制約があり、例えば、スマートデバイス１０において発生させられた音響を、損失及び歪みを最小限にして録音したり、録画物に追加したりする等の処理を行うことができない。
【００１１】
すなわち、スマートデバイス１０において発生させられた音響を他のスマートデバイス１０に録音する場合においては、スマートデバイス１０に組み込まれたスピーカ又はイヤレシーバ２１から送出され、空気中を伝播した音響が、他のスマートデバイス１０に組み込まれたマイク又はイヤホン付きマイク２２に入力される方式で録音されるので、音量及び音質が低下してしまう。
【００１２】
特に、スマートデバイス１０でゲームを行うのと同時に、動画キャプチャのための応用プログラムを実行し、ゲーム画面を音響を含めて録画したり、スマートデバイス１０で動画を撮影するとともに、スマートデバイス１０に収録された音楽ファイルを再生し、背景音楽として挿入したりする場合、スマートデバイス１０自体が優れた音声入出力機能及び処理性能を有しているにもかかわらず、各性能を十分に活用することができず、使用者の期待に応えられないという深刻な問題があった。
【課題を解決するための手段】
【００１３】
上述した目的を達成するために、本発明は、音声信号を出力する出力端子１１及び音声信号が入力される入力端子１２を備えたスマートデバイス１０と連結される音声信号抽出入力装置において、スマートデバイス１０の出力端子１１及び入力端子１２とイヤレシーバ２１及びマイク２２とを連結する導線上に本体３０が配設され、スマートデバイス１０の出力端子１１とイヤレシーバ２１とを連結する導線と、スマートデバイス１０の入力端子１２とマイク２２とを連結する導線とが、本体３０内において接続部３１を介して相互連結され、スマートデバイス１０を介した録音又は録画過程において、スマートデバイス１０によって発生させられた音響が、出力端子１１から、出力端子１１とイヤレシーバ２１とを連結する導線に音声信号として出力され、イヤレシーバ２１に伝達される過程で接続部３１において抽出され、入力端子１２とマイク２２とを連結する導線に抽出音声信号として流入し、流入した抽出音声信号が、入力端子１２に入力され、スマートデバイス１０において入力音響として利用されることを特徴とするスマートデバイス用の音声信号抽出入力装置である。
【００１４】
また、本発明は、前記本体３０に、使用者が操作することによって音量を調節するための操作ボタンが配設され、前記接続部３１に、前記操作ボタンと連結された抽出信号調整部３５が配設され、該抽出信号調整部３５によって、抽出された音声信号が調整されることを特徴とするスマートデバイス用の音声信号抽出入力装置である。
【発明の効果】
【００１５】
本発明によれば、スマートデバイス１０から出力された音声信号を抽出して、当該スマートデバイス１０に簡便に入力し、音声信号の抽出及び再入力過程における音響の損失及び歪みを最小限にすることができる。
【００１６】
特に、スマートデバイス１０を介した録音又は録画過程において、スマートデバイス１０において発生させられた音響を入力音響として自由に利用することができるので、使用者の便宜性及びスマートデバイス１０の利便性を向上させることができる。
【図面の簡単な説明】
【００１７】
【図１】従来のスマートデバイス用の音声入出力装置を示す斜視図である。
【図２】本発明の音声信号抽出入力装置の斜視図である。
【図３】本発明の音声信号抽出入力装置の構成図である。
【図４】本発明による変形された実施の形態を示す斜視図である。
【図５】本発明によるイヤホン一体型の実施の形態を示す斜視図である。
【図６】本発明によるスピーカ及びマイク内蔵型の実施の形態を示す斜視図である。
【発明を実施するための形態】
【００１８】
以下、添付した図面を参照して、本発明による構成及び作動原理について詳述する。
【００１９】
図２は本発明の音声信号抽出入力装置の外観及び使用状態を示すものであり、図に示されるように、本発明は、スマートデバイス１０に結合される結合ジャック３８、本体３０等から成り、本体３０に、一般的なマイク２２付きイヤホン等の音声入出力装置を結合することもできる。
【００２０】
図２に示される実施の形態においては、本体３０の下側に導線が接続され、導線の末端に結合ジャック３８が配設され、該結合ジャック３８がスマートデバイス１０と結合・連結される。また、本体３０の上端には、ジャック結合孔３９が形成され、イヤホンのイヤホンジャック２３が前記ジャック結合孔３９と結合・連結される。
【００２１】
図３は本発明の音声信号抽出入力装置の構造及び電気的連結状態を示すものであり、図に示されるように、本発明は、音声信号を出力する出力端子１１及び音声信号が入力される入力端子１２を備えたスマートデバイス１０と連結される音声信号処理装置であり、スマートデバイス１０とイヤレシーバ２１及びマイク２２とを連結する導線上に配設される。
【００２２】
図３に示されるように、スマートデバイス１０の出力端子１１及び入力端子１２とイヤレシーバ２１及びマイク２２とを連結する導線上に本体３０が配設され、スマートデバイス１０の出力端子１１とイヤレシーバ２１とを連結する導線と、スマートデバイス１０の入力端子１２とマイク２２とを連結する導線とが、本体３０内において接続部３１を介して相互連結される。
【００２３】
すなわち、スマートデバイス１０内に配設されたサウンドチップセット（Ｓｏｕｎｄ  Ｃｈｉｐｓｅｔ）の出力信号処理部１５と連結された出力端子１１から出力された音声信号が、導線を介してイヤレシーバ２１に伝達される過程で、本体３０内の接続部３１において抽出され、マイク２２と入力端子１２とを連結する導線に抽出音声信号として流入し、流入した抽出音声信号は、前記サウンドチップセットの入力信号処理部１６と連結された入力端子１２に入力される。
【００２４】
したがって、前記出力信号処理部１５から出力された音声信号は、スマートデバイス１０に組み込まれたスピーカ又はイヤレシーバ２１から出力される場合のように、空気伝播又はスマートデバイス１０の物理的振動によってマイク２２に入力されるのではなく、すなわち、物理的に伝播することなく、電気的に接続部３１を介してスマートデバイス１０の入力端子１２に直接入力されるので、音響に損失及び歪みが発生するのを効果的に抑制することができる。
【００２５】
また、図３に示されるように、本体３０内の接続部３１に抽出信号調整部３５が配設される。該抽出信号調整部３５は、音声信号を処理する回路であり、出力端子１１との連結導線から抽出された音声信号を調整し、出力端子１１から出力された音声信号を入力端子１２に入力する際に、適切な出力に増減したり、雑音を除去したりする。
【００２６】
特に、図２に示されるように、本体３０には、使用者が操作することによって音量を調節することができる操作ボタンが配設され、該操作ボタンと前記抽出信号調整部３５とを連結することによって、音声信号を抽出及び入力する際に使用者の意図を効果的に反映させることができる。
【００２７】
一方、図４及び５は、それぞれ、結合ジャック３８が本体３０と直接連結された実施の形態、及び本体３０とイヤホンが一体化して構成された実施の形態を示すものであり、各図に示されるように、本体３０の構成及び連結方式は、変形させることができる。
【００２８】
図２及び４に示される実施の形態においては、本体３０にジャック結合孔３９が形成され、イヤホンが結合されるようになっているが、音声信号の抽出及び再入力は、イヤホンが結合されているかどうかにかかわらず、行うことができる。
【００２９】
図６に示される実施の形態においては、音声信号を抽出及び再入力するに当たり、イヤホンを結合することなく、本体３０だけを使用することができる。すなわち、この場合、本体３０には、スマートデバイス１０の出力端子１１と連結される一体型スピーカ３６が配設されるので、使用者は、イヤホンを結合しなくても、スマートデバイス１０において発生させられた音響を聴くことができる。
【００３０】
また、図６に示される実施の形態においては、一体型マイク３７が配設されるので、別体のマイク、マイク兼用イヤホン等を結合しなくても、外部の音響をスマートデバイス１０に入力することができる。
【符号の説明】
【００３１】
１０    スマートデバイス
１１    出力端子
１２    入力端子
１５    出力信号処理部
１６    入力信号処理部
２１    イヤレシーバ
２２    マイク
２３    イヤホンジャック
３０    本体
３１    接続部
３５    抽出信号調整部
３６    一体型スピーカ
３７    一体型マイク
３８    結合ジャック
３９    ジャック結合孔
【図１】
0006266701.tif 000002
【図２】
0006266701.tif 000003
【図３】
0006266701.tif 000004
【図４】
0006266701.tif 000005
【図５】
0006266701.tif 000006
【図６】
0006266701.tif 000007